(57)【特許請求の範囲】
【請求項１】
固定棚の前方において左右方向に移動可能に配置された横引き移動棚の転倒防止装置であって、
回転軸を垂直方向として前記移動棚の後面に取り付けられた転倒防止ローラと、  前記固定棚の前面に取り付けられ、内側に沿って前記転倒防止ローラが転動するとともに、上部水平片の前端に、転倒防止ローラの前方への移動を規制する下向きフランジを有する転倒防止レールと、
前記移動棚の後面に取付けられ、移動棚が振動して、前記転倒防止ローラが上方向に移動した場合には、それとともに上方向へ移動して、転倒防止レールの下面に当接することにより、転倒防止ローラが前記下向きフランジの下側から外れるのを防止するようになっている脱落防止片とを備えることを特徴とする横引き移動棚の転倒防止装置。
【請求項２】
固定棚の前方において左右方向に移動可能に配置された横引き移動棚の転倒防止装置であって、
回転軸を垂直方向として前記移動棚の後面に取り付けられた転倒防止ローラと、  前記固定棚の前面に取り付けられ、内側に沿って前記転倒防止ローラが転動するとともに、上部水平片の前端に、転倒防止ローラの前方への移動を規制する下向きフランジを有する転倒防止レールと、
前記移動棚の後面に取付けられ、移動棚が振動して、前記転倒防止ローラが上方向に移動した場合に、転倒防止ローラが転倒防止レールの上部水平片を押圧することによる変形量を規制するために、転倒防止レールの上面に当接するようにした後方を向くフランジを有する脱落防止片を備えることを特徴とする横引き移動棚の転倒防止装置。
【発明の詳細な説明】
【０００１】
【発明の属する技術分野】
本発明は、固定棚の前方において、左右方向に移動可能に配置された横引き移動棚の転倒防止装置に関する。
【０００２】
【従来の技術】
図７は、一般的な横引き移動棚装置を模式的に示す。
この例では、図示省略のベース上に、４個の固定棚(１)が左右方向に連接して固定され、この固定棚(１)の前方において、１個少ない３個の移動棚(２)が、左右方向に移動可能に取り付けられている。したがって、固定棚(１)の前が空くように移動棚(２)を移動させると、固定棚(１)に対して書類等を出し入れすることができる。
【０００３】
なお、図８に示すように、一連の固定棚(１)に対して２連の移動棚(2a)(2b)を設けたものもある。このような構成では、ベースに設けられたレールに対して、移動棚(２)を単に移動可能にしただけでは、移動棚(２)が前方に転倒するおそれがあるので、図７のＡで示す位置に、移動棚(２)の上面の後端部が固定棚(１)の上面の前端部に係止されるように転倒防止装置が取り付けられる。
【０００４】
図９は、従来の転倒防止装置の側面を示し、図１０は、図９における転倒防止ローラの支持要領を示す。
移動棚(２)と固定棚(１)の上面には、それぞれ、移動天板(21)と固定天板(11)が固定され、移動天板(21)と固定天板(11)には、それぞれ、互いに嵌合するように、図１０に詳しく示すような転倒防止ローラ(22)と転倒防止レール(12)が、リベット(25)等により固定されている。
【０００５】
転倒防止ローラ(22)は、回転軸が垂直になるように、支持具(23)を介して移動天板(21)の前面に固定され、１つの移動棚(２)に対して、左右方向に２〜３個取り付けられている。また、転倒防止レール(12)は、固定棚(１)の幅全体に渡って取り付けられている。
【０００６】
転倒防止レール(12)は、側断面が略矩形状をなし、その上部水平片(122)の前端には、転倒防止ローラ(22)の前方への移動を規制するように下向きフランジ(121)が設けられ、後部垂直片(123)の下端には、前向きフランジ(124)が設けられている。
下向きフランジ(121)と後部垂直片と(123)の内側間隔は、転倒防止ローラ(22)の径よりやや大である。
【０００７】
また、下向きフランジ(121)と前向きフランジ(124)との間には、転倒防止ローラ(22)を斜め前下方から嵌合しうるように、隙間が形成されている。
【０００８】
このような構成において、移動棚(２)が左右方向（図９の紙面と直交方向）に移動すると、転倒防止ローラ(22)は、下向きフランジ(121)と後部垂直片(123)に沿って転動し、また、下向きフランジ(121)に当接して、移動棚(２)が前方に転倒するのが防止される。
【０００９】
図１２及び図１３は、他の従来例を示す。この例では、転倒防止レール(13)と転倒防止ローラ(22)は、それぞれ固定棚(１)と移動棚(２)に、その上面より上方へ突出するようにして固定されている。転倒防止レール(13)は、側断面コ字状をなし、その上下の水平片(132)(134)の前端には、それぞれ下向きフランジ(131)(135)が設けられている。
【００１０】
転倒防止レール(13)の上側の下向きフランジ(131)と、後垂直片(133)の内側間隔は、転倒防止ローラ(22)の径よりやや大である。
【００１１】
この構成においても、同様に、移動棚(２)が図１２の紙面と直交方向に移動すると、転倒防止ローラ(22)は、上側の下向きフランジ(131)と後部垂直片(133)に沿って転動し、また、上側の下向きフランジ(131)に当接して、移動棚(２)が前方に転倒することが防止される。
【００１２】
【発明が解決しようとする課題】
しかし、図９及び図１０に示す従来例では、地震等が発生して移動棚(２)等が上下に振動すると、転倒防止ローラ(22)は転倒防止レール(12)の上部水平片(122)等に当接し、また、最悪の場合には、図１１に示すように、下向きフランジ(121)と上部水平片(122)が上方向に曲がり、転倒防止ローラ(22)が下向きフランジ(121)と後向きフランジ(124)の間から外れ、移動棚(２)が前方に転倒するおそれがある。
【００１３】
また、図１２及び図１３に示す従来例においても、同様に、地震等が発生して、転倒防止ローラ(22)が転倒防止レール(13)の上部水平片(132)等に当接し、最悪の場合には、図１４に示すように、上側の下向きフランジ(131)と、上部水平片(132)が上方向に曲がって、図１２において黒矢印で示すように、その反動で、転動防止ローラ(22)が、上側の下向きフランジ(131)と下側の下向きフランジ(135)の間から外れ、移動棚(２)が前方に転倒するおそれがある。
【００１４】
本発明は、上記した従来のものにおける問題点に鑑み、地震等により、転倒防止ローラが転倒防止レールに当接して転倒防止レールが変形しても、移動棚が前方に転倒するのを防止するようにした、横引き移動棚の転倒防止装置を提供することを目的とする。
【００１５】
【課題を解決するための手段】
本発明は、上記目的を達成するために、次の(１)または(２)のように構成されている。
(１)固定棚の前方において左右方向に移動可能に配置された横引き移動棚の転倒防止装置であって、回転軸を垂直方向として前記移動棚の後面に取り付けられた転倒防止ローラと、前記固定棚の前面に取り付けられ、内側に沿って前記転倒防止ローラが転動するとともに、上部水平片の前端に、転倒防止ローラの前方への移動を規制する下向きフランジを有する転倒防止レールと、前記移動棚の後面に取付けられ、移動棚が振動して、前記転倒防止ローラが上方向に移動した場合には、それとともに上方向へ移動して、転倒防止レールの下面に当接することにより、転倒防止ローラが前記下向きフランジの下側から外れるのを防止するようになっている脱落防止片とを備えている。
【００１６】
(２)固定棚の前方において左右方向に移動可能に配置された横引き移動棚の転倒防止装置であって、回転軸を垂直方向として前記移動棚の後面に取り付けられた転倒防止ローラと、前記固定棚の前面に取り付けられ、内側に沿って前記転倒防止ローラが転動するとともに、上部水平片の前端に、転倒防止ローラの前方への移動を規制する下向きフランジを有する転倒防止レールと、前記移動棚の後面に取付けられ、移動棚が振動して、前記転倒防止ローラが上方向に移動した場合に、転倒防止ローラが転倒防止レールの上部水平片を押圧することによる変形量を規制するために、転倒防止レールの上面に当接するようにした後方を向くフランジを有する脱落防止片を備えている。
【００１７】
【発明の実施の形態】
以下、図面を参照して、本発明の実施の形態を説明する。図１は、本発明に係る横引き移動棚の転倒防止装置の一実施形態を示す側面図、図２は、図１の転倒防止ローラを詳細に示す図、図３は、地震等により転倒防止ローラが転倒防止レールに当接した状態を示す側面図である。なお、図９及び図１０に示す従来例と同一の構成部材には、同一の符号を付してある。
【００１８】
図１及び図２において、移動棚(２)と固定棚(１)の上面には、それぞれ移動天板(21)と固定天板(11)が固定され、この移動天板(21)の後面と固定天板(11)の前面には、それぞれ互いに嵌合するように、転倒防止ローラ(22)と転倒防止レール(12a)が、ネジやリベット(25)等により固定されている。転倒防止ローラ(22)は、１つの移動棚(２)に対して左右方向に２〜３個取り付けられ、転倒防止レール(12a)は、固定棚(１)の幅全体に渡って取り付けられている。
【００１９】
転倒防止レール(12a)の上部水平片(122)の前端には、転倒防止ローラ(22)の前方への移動を規制するように、下向きフランジ(121)が設けられ、同じく下部水平片(124)の前端には、転倒防止ローラ(22)の脱落を防止するための上向きフランジ(125a)が設けられている。これらのフランジ(121)(125a)は、転倒防止ローラ(22)の径よりやや広い幅の上部水平片(122)と、転倒防止ローラ(22)の後方への移動を規制するべく固定天板(11)に固定されている後部垂直片(123)と、上部水平片(122)と平行であって、それよりも幅が狭い下部水平片(124)とにより連結されている。
【００２０】
転倒防止ローラ(22)は、図２に詳しく示すように、上面にストッパ用突起(16)を有する側断面が前向コ状の脱落防止片(14)(15)を介して、移動天板(21)に、ネジやリベット等により固定されている。脱落防止片(14)は、転倒防止レール(12a)の上向きフランジ(125a)の内側、すなわち上向きフランジ(125a)と下部水平片(124)と後部垂直片(123)により形成される空間内に嵌合され、後端に下を向く後部フランジ(141)を有し、かつ前端に移動天板(21)に固定される前部フランジ(143)を有し、両フランジ(141)(143)の上端同士は、水平片(142)により連結されている。
【００２１】
脱落防止片(15)は、転倒防止レール(12a)の上向きフランジ(125a)の下側において、後方に水平を向く下部水平フランジ(151)と、ストッパ用突起(16)及び脱落防止片(14)の水平片(142)に連結される上部水平フランジ(153)と有する。両フランジ(151)(153)は、垂直片(152)により連結され、垂直片(152)は、脱落防止片(14)の水平片(142)とともに、移動天板(21)に固定されている。ストッパ用突起(16)は、移動棚(１)の水平方向の移動範囲を規制するために、固定棚(１)側のストッパ（図示省略）に係合可能に構成されている。
【００２２】
このような構成において、移動棚(２)が、図１の紙面と直交方向に移動すると、転倒防止ローラ(22)は、下向きフランジ(121)と後部垂直片(123)に沿って転動する。地震等が発生し、移動棚(２)が上下に振動して、転倒防止ローラ(22)が上方向に移動した場合には、図３に示すように、脱落防止片(15)の下部水平フランジ(151)は、転倒防止レール(12a)の下部水平片(124a)に当接し、かつ、脱落防止片(14)の上部フランジ(141)は、転倒防止レール(12a)の下部の上向きフランジ(125a)に当接する。そのため、転倒防止ローラ(22)が、上部の下向きフランジ(121)と下部の上向きフランジ(125a)の間から外れることがなく、移動棚(２)が前方に転倒するのが防止される。
【００２３】
次に、図４〜図６を参照して、第２の実施形態を説明する。図４は、横引き移動棚の転倒防止装置の第２の実施形態を示す側面図、図５は、図４の転倒防止ローラを詳細に示す図、図６は、地震等により転倒防止ローラが転倒防止レールに当接した状態を示す側面図である。なお、図１２及び図１３に示す従来例と同一の構成部材には同一の符号を付してある。
【００２４】
転倒防止ローラ(22)と転倒防止レール(13)は、それぞれ、移動天板(21)と固定天板(11)に対して直接に、かつ移動棚(２)と固定棚(１)の上面より上に突出するようにして固定されている。転倒防止レール(13)の上下の水平片(132)(134)の前端には、転倒防止ローラ(22)の前方への移動を規制するように、それぞれ下向きフランジ(131)(135)が設けられている。これらの下向きフランジ(131)(135)は、転倒防止ローラ(22)の径よりやや広い幅の上部水平片(132)と、転倒防止ローラ(22)の前方への前方への移動を規制するとともに、固定天板(11)に固定されている後部垂直片(133)と、上部水平片(132)と平行であって、それと同一の幅を有する下部水平片(134)により連結されている。
【００２５】
また、この例では、転倒防止ローラ(22)は、回転軸が垂直になるように支持体(23)および座板(24)を介して、移動天板(21)に取付けられ、かつ移動天板(21)には、支持体(23)に対する脱落支持片(17)が取り付けられている。脱落防止片(17)は、転倒防止レール(13)の上部水平片(132)の上方に位置するように、後方へ水平方向を向く係止片(171)と、係止片(171)の下方において、支持体(23)に固定されている後方を向く下部フランジ(173)を有し、係止片(171)と下部フランジ(173)は、垂直片(172)により連結されている。
【００２６】
この構成においても同様に、図４において、移動棚(２)が図面と直交する方向に移動すると、転倒防止ローラ(22)は、上部の下向きフランジ(131)と後部垂直片(133)に沿って転動する。地震等が発生して、移動棚(２)等が上下に振動し、転倒防止ローラ(22)が上方向に移動して、図６に示すように、上部の下向きフランジ(131)と上部水平片(132)が上方向に曲がったりしても、その曲がり量は、脱落防止片(17)の係止片(171)により規制されるので、転倒防止ローラ(22)が上部の下向きフランジ(131)と下部の下向きフランジ(131)の間から外れることがなくなり、したがって、移動棚(２)が前方に転倒することが防止される。
【００２７】
【発明の効果】
本発明によれば、固定棚の前方に水平方向に移動可能に配置した横引き移動棚の転倒防止装置において、回転軸が垂直方向になるように前記移動棚に取り付けられたローラと、前記固定棚に取り付けられ、前記ローラが転動すると共に前記ローラの前方への移動を規制するフランジを有するレールと、前記移動棚が振動して、前記ローラが前記フランジが当接した場合に、前記ローラが前記フランジから脱落することを防止する脱落防止部材を設けてあるので、移動棚が前方に転倒することが効果的に防止される。
【図面の簡単な説明】
【図１】  本発明に係る横引き移動棚の転倒防止装置の一実施形態を示す側面図である。
【図２】  図１の転倒防止ローラを詳細に示す図である。
【図３】  地震等により転倒防止ローラが転倒防止レールに当接した状態を示す側面図である。
【図４】  横引き移動棚の転倒防止装置の第２の実施形態を示す側面図である。
【図５】  図４の転倒防止ローラを詳細に示す図である。
【図６】地震等により転倒防止ローラが転倒防止レールに当接した状態を示す側面図である。
【図７】  ２重連の横引き移動棚を示す図である。
【図８】  ３重連の横引き移動棚を示す上面図である。
【図９】  従来の横引き移動棚の転倒防止装置を示す側面図である。
【図１０】  図９の転倒防止ローラを詳細に示す図である。
【図１１】  図９において地震等により転倒防止ローラが転倒防止レールに当接した状態を示す側面図である。
【図１２】  他の従来の横引き移動棚の転倒防止装置を示す側面図である。
【図１３】  図１２の転倒防止ローラを詳細に示す図である。
【図１４】  図１２において地震等により転倒防止ローラが転倒防止レールに当接した状態を示す側面図である。
【符号の説明】
(１)固定棚
(２)移動棚
(11)固定天板
(12a)(13)転倒防止レール
(14)(15)(17)脱落防止片
(16)ストッパ用突起
(21)移動天板
(22)転倒防止ローラ
(23)支持体
(24)座板
(25)リベット
(121)下向きフランジ
(122)上部水平片
(123)後部垂直片
(124)(124a)下部水平片
(125a)上向きフランジ
(131)(135)下向きフランジ
(132)(134)水平片
(133)前部垂直片
(141)後部フランジ
(142)水平片
(143)前部フランジ
(151)下部水平フランジ
(152)垂直片
(153)上部水平フランジ
(171)係止片
(172)垂直片
(173)下部フランジ
【図１】
0003690430.tif 000002
【図２】
0003690430.tif 000003
【図３】
0003690430.tif 000004
【図４】
0003690430.tif 000005
【図５】
0003690430.tif 000006
【図６】
0003690430.tif 000007
【図７】
0003690430.tif 000008
【図８】
0003690430.tif 000009
【図９】
0003690430.tif 000010
【図１０】
0003690430.tif 000011
【図１１】
0003690430.tif 000012
【図１２】
0003690430.tif 000013
【図１３】
0003690430.tif 000014
【図１４】
0003690430.tif 000015